(57)【要約】      （修正有） 【課題】あらゆる体型の人に対し、シートベルトから鎖骨を保護し、取り外し可能で、シートに付けたまま、必要な時すぐに着用可能なものである。【解決手段】タオル材より成るシートベルトカバー９であって、そのカバーの一端を車のシート背もたれ７のヘッドレスト６の軸８に、開閉可能なリング１によって取り付け、取り外し可能で、シートベルトと身体の間に挟み使用する。【選択図】図２
0003133132.tif 000002
【実用新案登録請求の範囲】
【請求項１】
タオル材より成るシートベルトカバーであって、そのカバーの一端を車のシート背もたれのヘッドレストの軸に、開閉可能なリングによって取り付け、取り外し可能で、シートベルトと身体の間に挟み使用するシートベルトカバー。
【請求項２】
タオル材は、洗濯可能である厚手の素材とする、請求項１記載のシートベルトカバー。
【請求項３】
ヘッドレストの軸への取り付けは、簡単に取り外し可能で開閉可能な構造とする、請求
項１又は、請求項２のシートベルトカバー。
【考案の詳細な説明】
【技術分野】
【０００１】
この考案は、車のシート背もたれヘッドレストに取り付け、シートベルトの着用者（特に女性や、子供）の首や、鎖骨、胸がシートベルトに直接触れ、痛みや圧迫感不快感等を引き起こすのを防ぐ為の、カバーに関するものである。
【背景技術】
【０００２】
自動車に乗る際は、運転席、助手席共にシートベルトの着用が義務付けられているが、シートベルトの装着感が、あまり良いとは言えず、体型の違いにも細かな適応が無いように思われる。
【０００３】
運転中又は、助手席に於いて、特に女性、子供、高齢者には、シートベルトが身体に密着し、圧迫感を感じるばかりか、夏場肩の空いた服などの場合は、鎖骨が、シートベルトに擦れて赤くなり痛くなったり、肩や、胸にブローチ等の装飾品が付いている場合は、違和感を感じ、運転中はそれらに気をとられ、集中力がなくなり、非常に危険を伴う。
【０００４】
シートベルトを長時間装着していた場合、車内での身動きが非常にしづらく、不快に感じられる場合があり、肩や首、胸に違和感を感じた場合、手でシートベルトを緩め、身体に密着しない様な形で使用し、運転をしている人や、助手席に乗っている人をよく見かける。これでは、シートベルト装着の意味がなく、非常に危険な行為だと思われる。
【０００５】
シートベルト本体は、車に取り付けられており、夏場は汗が付着したり、女性の場合は、化粧品が付着しても取り外せない為、洗浄することが不可能である。
【０００６】
従来のシートベルトカバーと呼ばれる物は、シートベルト本体にカバーの様なものを取り付ける形状のものである。
【考案の開示】
【考案が解決しようとする課題】
【０００７】
従来のシートベルトカバーにおいては、シートベルトそのものに、クッション性のものを取り付ける方法であるが、シートベルト着脱時に不便さがある様に感じられる。
【０００８】
従来のシートベルトカバーでは、シートベルトを外し、収納する時にドアーや窓に挟まってしまう様な危険性がある。
【０００９】
シートベルトは、車に乗る人すべての命を守る大切なものなので、機能を損なわない為にも、シートベルトそのものには取り付けず、人側に付けることで、シートべルトを正しく、気持ちよく装着してもらえる物でなくてはならない。
【００１０】
本考案品は、シートベルトの重要性を踏まえた上で、夏場等皮膚に直接触れる物なので、清潔に保つ上にも、繰り返し洗浄する事が出来、クッション性もあり、不使用時には邪魔にならず、あらゆる体型の人にも対応出来、子供や、高齢者でも着脱が簡単である物である。
【課題を解決するための手段】
【００１１】
本考案品は、厚手上質のタオル地より成り、シートベルトと身体の間にあり、着脱が極めて簡単で、自在に調整が出来るものである。又、不使用時、車の乗降の際は、収納する必要が無く、車シート背もたれ部にそのままにしておける利便性のあるものである。
【考案の効果】
【００１２】
厚手、上質のタオル地を使用することにより、シートベルトによる圧迫感も和らぎ、直接皮膚に触れても違和感がないように感じられる。
【００１３】
特に女性や子供、高齢者において、鎖骨や首、胸等にシートベルトが直接触れない為痛みや、不快感の予防となる。
【００１４】
本考案品は、タオル地より成り、肩上部から、腰上部までの長さがあり、３種類のサイズより選択が出来、女性の胸や子供、高齢者の身体をやさしく守ることができる。
【００１５】
本考案品は、シート側に取り付けることにより、シートベルトの機能は損なわれず、収納する必要がない為、付けっぱなしにしておくことが出来、使用者にとって非常に便利である。
【００１６】
本考案品の素材は、上質タオル地から成り、肌にやさしくフィットし、汗などの吸水性にも優れ、女性の化粧品や、子供の食べ物等が付着しても、簡単に取り外しが出来、繰り返し洗浄することで清潔に使用する事が出来る。
【００１７】
本考案品を使用することにより、痛みや不快感もなく、気持ち良く運転に集中することが出来安全運転にも繋がり、助手席においても、ドライブを苦痛無く楽しめる。
【考案を実施するための最良の形態】
【００１８】
図１及び図２、図３の説明。本考案品のシートベルトカバーに関して、図１のタオル地より成るシートベルトカバーの金具を図２のシート背もたれヘッドレストの軸に取り付け、図３の様に人体の肩から胸にかけて、保護するように当て、その上にシートベルトを装着して使用するものである。
【００１９】
図１の構成の説明。開閉可能なリング１は、考案品のシートベルトカバーを直接取り付ける元となるもので、金属から成り、円形で、リングの一部がはずれる構造であり、そのジョイント部が開閉自在で、図３のシート背もたれヘッドレストの軸に簡単に着脱できるものである。開閉可能なリング２は、なくともよいが、シートベルトカバー上部を平らに保つ為、あれば安定し、使用勝手が良い。材質は、開閉可能なリング１と同様であるが、直径は、開閉可能なリング１より小さいものとし、洗浄時等の取り外しはこの部分で行い、タオル部のみを簡単に取り外せる。リング３は、鳩目状で、タオル５の上部に取り付け、穴の部分に開閉可能なリング２を取り付ける。直径は、開閉可能なリング２が入り、スムーズに動くサイズである。
【００２０】
タオル５の素材は、直接皮膚に触れても良い、やわらかな上質のタオル地から成り、汗や化粧品、飲み物等で汚れた場合でも、繰り返し洗浄が出来るものである。タオル５の形状は、楕円形で、周囲４はバイヤステープ等で補強し、タオル地の縮みや使用時に折れ曲がるのを防ぐものとする。又タオル５の長さは、使用者の座高に合わせた、ＳＭＬの長さ、幅の異なる３種類を持つものである。
【００２１】
図２の構成の説明。考案品のシートベルトカバーを、直接取り付ける側の位置について、車シート背もたれヘッドレストと背もたれ部７の間の軸の部分８に、図１の開閉可能なリング１を掛けて使用する。軸部８は、頭部６に２本付いており、背もたれ部７の上部の穴に嵌め込む様式となっており、この軸８は上下作動可能な為、少し上げた状態で行なえば、図１の開閉可能なリング１は、簡単に取り付け可能である。取り付け位置は、運転席は向かって左側、助手席は向かって右側となる。開閉可能なリング１は、一度取り付ければ、付けっぱなしの状態でも問題はない。又、後部座席に於いても同様に使用可能である。
【００２２】
図３においての説明。運転手席側の人１１が、シートベルトカバー９を装着して、シートベルト１０を付けている図である。人の座高の高低、身体の大きさの大小等がある為、ＳＭＬの３種類の長さ、幅をもたせることで、シートベルトによる不快な身体の箇所を保護することが可能である。助手席の場合は、図３と左右反対となる。又図１の開閉可能なリング１が有る事により、不使用時は、そのままでも、シート裏、側面でも、自由に回転させて移動が可能である。
【図面の簡単な説明】
【００２３】
【図１】シートベルトカバー全体の平面図である。
【図２】シートベルトカバーを車のシートに装着した正面図である。
【図３】シートベルトカバーを人が使用し、シートベルトを装着した状態の正面図である。
【符号の説明】
【００２４】
１  開閉可能なリング
２  開閉可能なリング
３  鳩目金具
４  タオル部周囲
５  タオル部
６  ヘッドレスト
７  シート背もたれ部
８  軸
９  シートベルトカバー
10  シートベルト
11  人
【図１】
0003133132.tif 000003
【図２】
0003133132.tif 000004
【図３】
0003133132.tif 000005
【手続補正書】
【提出日】平成19年4月20日(2007.4.20)
【手続補正１】
【補正対象書類名】実用新案登録請求の範囲
【補正対象項目名】全文
【補正方法】変更
【補正の内容】
【実用新案登録請求の範囲】
【請求項１】
タオル材より成るシートベルトカバーであって、そのシートベルトカバーには取り付け穴が設けられており、その穴に開閉可能なリングが取り付けられてあり、そのリングを車シート背もたれヘッドレストと、背もたれ部の間の軸の部分に掛けることにより、その車シートに装着されることを特徴とするシートベルトカバー。
【請求項２】
タオル材は、洗濯可能な素材である、請求項１記載のシートベルトカバー。
【請求項３】
前記リングと、前記穴との間に更に別の開閉可能なリングが取り付けられていることを特徴とする、請求項１又は、請求項２のシートベルトカバー。